(57)【要約】【課題】騒音の低減および、水滴の外部への飛散を防止できる手乾燥装置を提供することを目的とする。【解決手段】温風発生手段４の下方側に設けられる略Ｃ字形状で底面に水受皿５を設けた乾燥室６に温風を水受皿５に向けて吹き出す吹出ノズル７を設け、乾燥室６の底面に設けられる水受皿５に、吹出ノズル７から吹き出された温風が衝突するスポンジ状物質により形成された緩衝部材８を設けたことにより、騒音の低減および水滴の外部への飛散を防止できる手乾燥装置が得られる。【選択図】  図１
2005027693.tif 000002
【特許請求の範囲】
【請求項１】
上方側に設けられる送風装置および発熱体からなる温風発生手段と、この温風発生手段の下方側に設けられる略Ｃ字形状で底面に水受皿を設けた乾燥室と、この乾燥室に前記温風発生手段で発生した温風を前記水受皿に向けて吹き出す吹出ノズルとを備え、前記乾燥室の底面に設けられる水受皿に、前記吹出ノズルから吹き出された温風が衝突するスポンジ状物質により形成された緩衝部材を配設した手乾燥装置。
【請求項２】
緩衝部材にデインプル形状を設けた請求項１記載の手乾燥装置。
【請求項３】
緩衝部材の表面に多数の突部を形成した請求項１記載の手乾燥装置。
【請求項４】
緩衝部材を、吹出ノズルから吹き出される温風が衝突する中心部分を頂点にして山形状に形成した請求項１記載の手乾燥装置。
【請求項５】
乾燥室に設けられる水受皿の側面に水滴が飛散しないように設けられるスポンジ材からなる水滴飛散防止部を設けた請求項１記載の手乾燥装置。
【請求項６】
乾燥室の開口部分を囲む形状で乾燥室内に手を挿入できる手の挿入孔を設けたスポンジ材で形成した囲いを設けた請求項１記載の手乾燥装置。
【請求項７】
乾燥室の開口部分を囲む形状で乾燥室内に手を挿入できるようにスリットを設け、スポンジ材で形成した囲いを設けた請求項１記載の手乾燥装置。
【請求項８】
緩衝部材を耐水性のフェルトで形成した請求項１記載の手乾燥装置。
【請求項９】
緩衝部材を軽石で形成した請求項１記載の手乾燥装置。
【請求項１０】
緩衝部材をスポンジ材で形成しゴムを介して水受皿に接着する構成とした請求項１記載の手乾燥装置。
【請求項１１】
緩衝部材に抗菌剤を添加した請求項１記載の手乾燥装置。
【請求項１２】
緩衝部材に吸着剤を含ませる構成とした請求項１記載の手乾燥装置。
【請求項１３】
緩衝部材に吸着剤と変色剤を含ませる構成とした請求項１記載の手乾燥装置。
【請求項１４】
緩衝部材に乾燥剤を含ませる構成とした請求項１記載の手乾燥装置。
【請求項１５】
緩衝部材を照射する殺菌灯を設けた請求項１記載の手乾燥装置。
【請求項１６】
緩衝部材を乾燥する赤外線ヒーターを乾燥室の下部に設けた請求項１記載の手乾燥装置。
【請求項１７】
赤外線ヒーターを乾燥室の上方部に設け、ぬれ手と緩衝部材を乾燥させる構成とした請求項１記載の手乾燥装置。
【請求項１８】
赤外線ヒーターを乾燥室の下方側部に設け、吹出ノズルからの温風と赤外線ヒーターの輻射熱で手を乾燥させる構成とした請求項１記載の手乾燥装置。
【発明の詳細な説明】
【０００１】
【発明の属する技術分野】
本発明は、洗った手に付着した水滴を飛散させて除去する手乾燥装置に関する。
【０００２】
【従来の技術】
従来の手乾燥装置は、吹出ノズルからの高速気流が乾燥室の底面に衝突して発生する騒音を低減する突出壁を設けている（例えば特許文献１参照）。
【０００３】
また、特許文献２には、水滴等の周辺への飛散を確実に防止するための溝を水受け部の底壁面に一体形成する技術が記載されている。
【０００４】
【特許文献１】
特開平１１−１６９３１７号公報（〔００１７〕〜〔００１８〕図１）
【特許文献２】
特開２０００−５０９６号公報（〔０００８〕〜〔００１０〕図１〜図３）
【０００５】
【発明が解決しようとする課題】
このような、従来の手乾燥装置では、吹出ノズルから水受皿に向けて高圧空気が送風されるため、水受皿に高圧空気が衝突し騒音が発生すると共に、衝突時に気流が乱れることにより騒音が発生するという課題があり、騒音を低下することが要求されている。
【０００６】
また、ぬれ手を乾燥室に差し込んだとき、吹出ノズルから高速で送風した風が水滴と共に水受皿に衝突、かつ、乱気流により水はねが発生し水受皿を飛び越え使用者の衣服や洗面台、床面、壁面に飛散するという課題があり、水はねが発生しないようにすることが要求されている。
【０００７】
また、水受皿に残留する残留水から異臭が発生したりする課題があり、異臭の防止および、残留水を容易に排水できるようにすることが要求されている。
【０００８】
本発明は、このような従来の手乾燥装置の課題を解決するものであり、騒音の低減ができ、また、水滴の外部への飛散および異臭の発生を防止できる手乾燥装置を提供することを目的としている。
【０００９】
【課題を解決するための手段】
本発明の手乾燥装置は、上記目的を達成するために、上方側に設けられる送風装置および発熱体からなる温風発生手段と、この温風発生手段の下方側に設けられる略Ｃ字形状で底面に水受皿を設けた乾燥室と、この乾燥室に前記温風発生手段で発生した温風を前記水受皿に向けて吹き出す吹出ノズルとを備え、前記乾燥室の底面に設けられる水受皿に、前記吹出ノズルから吹き出された温風が衝突するスポンジ状物質により形成された緩衝部材を配設したものである。
【００１０】
本発明によれば、騒音の低減ができ、また、水滴の外部への飛散ができる手乾燥装置が得られる。
【００１１】
【発明の実施の形態】
本発明は、上方側に設けられる送風装置および発熱体からなる温風発生手段と、この温風発生手段の下方側に設けられる略Ｃ字形状で底面に水受皿を設けた乾燥室と、この乾燥室に前記温風発生手段で発生した温風を前記水受皿に向けて吹き出す吹出ノズルとを備え、前記乾燥室の底面に設けられる水受皿に、前記吹出ノズルから吹き出された温風が衝突するスポンジ状物質により形成された緩衝部材を配設したものであり、吹出ノズルから高速で送風される温風と手に付着している水滴が水受皿に送られたとき、水受皿に設けたスポンジ状物質により形成された緩衝部材に衝突して衝撃が吸収されると共に、緩衝部材の気泡により乱気流が整流されて吸音と共に水の跳ねかえりが吸収されるという作用を有する。
【００１２】
以下、本発明の実施例について図面を参照しながら説明する。
【００１３】
【実施例】
（実施例１）
図１に示すように、本体１の上方側に送風装置２およびＰＴＣヒーターからなる発熱体３からなる温風発生手段４を設け、温風発生手段４の下方側に略Ｃ字形状で底面に水受皿５を有し、水で洗った手を乾燥する乾燥室６を設け、乾燥室６の上部に温風発生手段４で発生した温風を水受皿５に向けて高速で吹き出す吹出ノズル７を設け、乾燥室６の底面に設けられる水受皿５に、吹出ノズル７から吹き出された高速の温風が衝突するスポンジ状物質により形成された緩衝部材８を配設し、乾燥室６に洗った手を挿入するとセンサー（図示せず）で検知し、温風発生手段４が作動するように構成する。
【００１４】
上記構成において、水で洗った手を乾燥室６内に挿入すると、温風発生手段４が自動的に運転され、温風発生手段４で発生した温風が吹出ノズル７から吹き出され、手に付着していた水滴が風により飛ばされ水受皿５で受けられると共に、温風により手が乾燥される。
【００１５】
そして、吹出ノズル７から吹き出された温風が、直接水受皿５に吹き出されても水受皿５に設けた緩衝部材８に衝突し、緩衝部材８のスポンジ状物質の機能により衝撃が吸収されると共に水の跳ね返りが吸収されることとなる。
【００１６】
本発明の実施例１の手乾燥装置によれば、本体１の上方側に設けられる送風装置２および発熱体３からなる温風発生手段４と、この温風発生手段４の下方側に設けられる略Ｃ字形状で底面に水受皿５を設けた乾燥室６と、乾燥室６に温風発生手段４で発生した温風を水受皿５に向けて吹き出す吹出ノズル７とを備え、乾燥室６の底面に設けられる水受皿５に、吹出ノズル７から吹き出された温風が衝突するスポンジ状物質により形成された緩衝部材８を配設したので、吹出ノズル７から温風が乾燥室６に送られたときに乾燥室６で発生する騒音が緩衝部材８により低減されると共に、洗った手に付着した水滴が水受皿５外に飛散しないようにすることができる。
【００１７】
（実施例２）
図２に示すように、緩衝部材８Ａの表面に凹状のデインプル９の形状を設けた構成とする。
【００１８】
上記構成において、吹出ノズル（図示せず）から吹き出された温風が、直接水受皿５に吹き出されても、水受皿５に設けた緩衝部材８Ａに衝突し、緩衝部材８Ａのデインプル９の形状により衝撃が吸収され、乱気流が整流されることにより吸音、水の跳ね返りを吸収することができる。
【００１９】
このように本発明の実施例２の手乾燥装置によれば、緩衝部材８Ａにデインプル９の形状を設けたので、吹出ノズルから水受皿５に向けて高速で送風したときに水受皿５に衝突して発生する高周波騒音を低減することができると共に、ぬれ手を乾燥室６に差し込んだとき、吹出ノズルから高速で送風された温風が水滴と共に水受皿５に衝突し、乱気流により水はねが発生し水受皿５を飛び越え使用者の衣服や洗面台、床面、壁面に飛散する水滴の飛散が防止できる。
【００２０】
（実施例３）
図３に示すように、緩衝部材８Ｂの表面に多数の突部１０を形成した構成とする。
【００２１】
上記構成において、吹出ノズルから吹き出された温風が、直接水受皿５に吹き出されても水受皿５に設けた緩衝部材８Ｂに衝突し、緩衝部材８Ｂに設けた突部１０により衝撃が吸収され乱気流が整流されることにより、吸音、水の跳ね返りを吸収することができる。
【００２２】
このように本発明の実施例３の手乾燥装置によれば、緩衝部材８Ｂの表面に多数の突部１０を形成したので、吹出ノズルから水受皿５に向けて高速で送風したときに水受皿５に衝突して発生する中低波領域の騒音を吸収して低減することができると共に、ぬれ手を乾燥室６に差し込んだとき、吹出ノズルから高速で送風された温風が水滴と共に水受皿５に衝突し、乱気流により水はねが発生し水受皿５を飛び越え使用者の衣服や洗面台、床面、壁面に飛散する水滴の飛散を防止できる。
【００２３】
（実施例４）
図４に示すように、緩衝部材８Ｃを、吹出ノズル７から吹き出される温風が衝突する中心部分１１を頂点にして山形状に形成した構成とする。
【００２４】
上記構成において、吹出ノズル７から吹き出された温風が直接水受皿５に吹き出されても、水受皿５に中心部分１１を頂点にして山形状に形成した緩衝部材８Ｃにより、吹出ノズル７から送風される温風およびぬれ手に付着していた水滴の衝撃を最も低反発部分である中心部分１１を頂点にした山形状の頂点部分に衝突させることにより吸音できる。
【００２５】
このように本発明の実施例４の手乾燥装置によれば、緩衝部材８Ｃを吹出ノズル７から吹き出される温風が衝突する中心部分１１を頂点にして山形状に形成したので、吹出ノズル７からの風とぬれ手からの水滴の衝撃を最も低圧部分にある頂点部分に衝突させることにより送風時に乾燥時で発生する中低周波数領域の騒音を低コストで低減することができると共に、緩衝部材８Ｃの総体積を低減することができる。
【００２６】
（実施例５）
図５に示すように、乾燥室６Ａに設けられる水受皿５Ａの側面に水滴が飛散しないように設けられるスポンジ材からなる水滴飛散防止部１２を設けた構成とする。
【００２７】
上記構成において、吹出ノズルから高速で送風された風とぬれ手に付着した水滴が水受皿５Ａの底面に衝突し、側面に回り込んだ水の跳ね返りを水受皿５Ａの側面に設けたスポンジ材からなる水滴飛散防止部１２に吸収されると共に、スポンジ材の気泡により活気流を整流することにより水の跳ね返りを吸収することができることとなる。
【００２８】
このように本発明の実施例５の手乾燥装置によれば、乾燥室６Ａに設けられる水受皿５Ａの側面に水滴が飛散しないように設けられるスポンジ材からなる水滴飛散防止部１２を設けたので、ぬれ手を乾燥室６Ａに差し込んだときに吹出ノズルから高速で送風した風が水滴と共に水受皿５Ａに衝突し、乱気流に水はねが発生し、水受皿５Ａを飛び越え使用者の衣服や洗面台、床面、壁面に飛散するのが防止できる。
【００２９】
（実施例６）
図６および図７に示すように、乾燥室６Ｂの開口部分１３を囲む形状で乾燥室６Ｂ内に手を挿入できる手の挿入孔１４を設けたスポンジ材で形成した囲い１５を設け、吹出ノズル７から送風され水受皿５に送られた風が送風装置２に循環されるようにフィルターを設けた循環気流吸込口１６および運転動作の制御を行うために設けられる赤外線受光素子１７を設け構成する。
【００３０】
上記構成において、ぬれた状態の手を囲い１５に設けた手の挿入孔１４より乾燥室６Ｂ内に挿入すると、赤外線受光素子１７により検知され温風発生手段４が作動し、吹出ノズル７から水受皿５側に送風され、手に付着した水滴が飛散される。このとき、乾燥室６Ｂの開口部分１３には囲い１５が設けられていることにより乾燥室６Ｂ外に水滴が飛散されることもなく手が乾燥され、送風された温風は循環気流吸込口１６に循環し、温風発生手段４に循環される。
【００３１】
このように本発明の実施例６の手乾燥装置によれば、乾燥室６Ｂの開口部分１３を囲む形状で乾燥室６Ｂ内に手を挿入できる手の挿入孔１４を設けたスポンジ材で形成した囲い１５を設けたので、吹出ノズル７から水受皿５に向けて吹き出される高速の風が水受皿５に衝突し発生する騒音が、囲い１５により乾燥室６Ｂ外にもれるのを防止でき、また、ぬれ手に付着した水滴が吹出ノズル７から吹き出される高速の風と共に、水受皿５に衝突し発生した微細水滴が囲い１５により乾燥室６Ｂ外にもれることがなくなり、使用者の衣服や洗面台、床面、壁面に飛散するのが防止できる。
【００３２】
また、乾燥室６Ｂ内に侵入しようとするごみが囲い１５により阻止されることにより、フィルターを設けた循環気流吸込口１６に目詰りが生じ、乾燥性能が低下するのを防止でき、また、運転初期状態はＰＴＣヒータータイプの発熱体３が低音で吹き出し温度が低く乾燥状態が低下すると共に、冬期に使用者が寒さを感じるのを防止でき、また、室内の照明の位置や照度によっては手検出部に直接照明光が入射して赤外線受光素子１７の受光感度を低下させ検出範囲が狭くなるのを囲い１５を設けることにより防止できる。
【００３３】
（実施例７）
図８に示すように、乾燥室６Ｃの開口部分１３を囲む形状で、乾燥室６Ｃ内に手を挿入できるようにスリット１８を設け、スポンジ材で形成した囲い１５Ａを設けた構成とする。
【００３４】
上記構成において、ぬれた状態の手を囲い１５Ａに設けたスリット１８より乾燥室６Ｃ内に挿入して手を乾燥する。
【００３５】
このように本発明の実施例７の手乾燥装置によれば、乾燥室６Ｃの開口部分１３を囲む形状で、乾燥室６Ｃ内に手を挿入できるようにスリット１８を設け、スポンジ材で形成した囲い１５Ａを設けたので、乾燥室６Ｃにおいて発生した騒音および微細水滴が囲い１５Ａにより乾燥室６Ｃ外にもれることがなくなり、乾燥室６Ｃ外へもれる騒音の低減ならびに水滴の飛散を防止できる。
【００３６】
また、囲い１５Ａには手を挿入する孔をスリット１８により形成しているので、手とスリット１８の周線部分との隙間が少なくなると共に、手を挿入しない状態では、手の挿入孔の開口面積は小さくなり、乾燥室６Ｃ内へのごみの侵入を防止することができる。
【００３７】
（実施例８）
図９に示すように、緩衝部材８Ｄを耐水性のフェルトで形成した構成とする。
【００３８】
上記構成において、吹出ノズル７から吹き出された温風が直接水受皿５に吹き出されても水受皿５に設けた耐水性のフェルト材からなる緩衝部材８Ｄに衝突し、衝撃が吸収され、吸音、水の跳ね返りを吸収することができる。
【００３９】
このように本発明の実施例８の手乾燥装置によれば、緩衝部材８Ｄを耐水性のフェルトで形成したので、騒音の低減および水はねを防止できると共に、耐水性のフェルトは廉価品であることによりコストを低減することができる。
【００４０】
（実施例９）
図１０に示すように、緩衝部材８Ｅを軽石で形成した構成とする。
【００４１】
上記構成において、吹出ノズル７から吹き出された温風が直接水受皿５に向かい吹き出されても、水受皿５に設けた軽石からなる緩衝部材８Ｅに衝突し、衝撃が吸収され吸音されることとなる。
【００４２】
このように本発明の実施例９の手乾燥装置によれば、緩衝部材８Ｅを軽石で形成したので、吸水しない緩衝部材８Ｅにより吸水による吸音性能の低下を防止することができる。
【００４３】
（実施例１０）
図１１に示すように、スポンジ材で形成した緩衝部材８Ｆを高比重のゴム１９を介して水受皿５に接着する構成とする。
【００４４】
上記構成において、吹出ノズル７から吹き出された温風が直接水受皿５に向かい吹き出されても、水受皿５にゴム１９を介して設けられた緩衝部材８Ｆに衝突し、衝撃が吸収されて吸音されることとなる。
【００４５】
このように本発明の実施例１０の手乾燥装置によれば、スポンジ材で形成した緩衝部材８Ｆを高比重のゴム１９を介して水受皿５に接着する構成としたので、高比重のゴム１９を接着することにより制振性が向上し低周波領域の騒音を低減することができる。
【００４６】
（実施例１１）
図１２に示すように、緩衝部材８Ｇに抗菌材を添加した構成とする。
【００４７】
上記構成において、吹出ノズル（図示せず）から吹き出された温風が直接水受皿５に向かい吹き出されても、抗菌材を添加した緩衝部材８Ｇに衝突し、衝撃が吸収され吸音されると共に、水受皿５に残留する残留水が抗菌される。
【００４８】
このように本発明の実施例１１の手乾燥装置によれば、緩衝部材８Ｇに抗菌材を添加したので、水受皿５に残留する残留水の異臭の発生が緩衝部材８Ｇに添加されている抗菌材で防止される。
【００４９】
（実施例１２）
図１３に示すように、緩衝部材８Ｈに吸着剤を含ませる構成とする。
【００５０】
上記構成において、ぬれた手から温風により吹き落とされた水滴が水受皿５に溜まり、緩衝部材８Ｈに含ませていた吸着剤により水受皿５に残留する残留水が吸着され、緩衝部材８Ｈを取り外すことにより排水を行うことができる。
【００５１】
このように本発明の実施例１２の手乾燥装置によれば、緩衝部材８Ｈに吸着剤を含ませる構成としたので、残留水の排水にかかるメンテナンス費の削減ができ、また、残留水を緩衝部材８Ｈに吸着させることにより、排水作業から緩衝部材８Ｈの交換作業に移行され水受皿５の洗浄作業も削減することができる。
【００５２】
（実施例１３）
図１４に示すように、緩衝部材８Ｊに吸着剤と変色剤を含ませる構成とする。
【００５３】
上記構成において、ぬれた手から温風により払い落とされた水滴が水受皿５に溜まり、水受皿５の残留水が緩衝部材８Ｊに含ませている吸着剤により吸着され、残留水の吸着が進むにつれて、緩衝部材８Ｊに含ませている変色剤により緩衝部材８Ｊが変色し、緩衝部材８Ｊに所定量の残留水が吸着されていることがわかり、緩衝部材８Ｊの交換時期を知ることができる。
【００５４】
このように本発明の実施例１３の手乾燥装置によれば、緩衝部材８Ｊに吸着剤と変色剤を含ませているので、水受皿５の残留水の水位を認識する水位窓がないため残留水の排水メンテナンス時期が不明であっても、緩衝部材８Ｊに吸着されている残留水の吸着量に伴い変色剤の作用により緩衝部材８Ｊが変色しメンテナンス時期を知ることができる。
【００５５】
（実施例１４）
図１５に示すように、緩衝部材８Ｋに乾燥剤を含ませた構成とする。
【００５６】
上記構成において、ぬれた手から温風により払い落とされた水滴が水受皿５に溜まり、水受皿５の残留水が緩衝部材８Ｋに含ませた乾燥剤により乾燥されることとなる。
【００５７】
このように本発明の実施例１４の手乾燥装置によれば、緩衝部材８Ｋに乾燥剤を含ませたので、水受皿５に設けた緩衝部材８Ｋに含まれる乾燥剤により水受皿５の残留水が乾燥されることとなり、残留水の排水にかかるメンテナンス費を削減することができる。
【００５８】
（実施例１５）
図１６に示すように、緩衝部材８Ｌを照射する殺菌灯２０を設けた構成とする。
【００５９】
上記構成において、水受皿５に設けられる緩衝部材８Ｌが水で浸かっても殺菌灯２０により照射され殺菌されて異臭の発生が防止できる。
【００６０】
このように本発明の実施例１５の手乾燥装置によれば、緩衝部材８Ｌを照射する殺菌灯２０を設けたので、残留水からの異臭の発生を防止することができる。
【００６１】
（実施例１６）
図１７に示すように、緩衝部材８Ｍを乾燥する赤外線ヒーター２１を乾燥室６Ｄの下部に設けた構成とする。
【００６２】
上記構成において、ぬれた手から温風により払い落とされた水滴が緩衝部材８Ｍを設けた水受皿５に溜まるようになるが、乾燥室６Ｄの下部に設けた赤外線ヒーター２１により水受皿５を介して緩衝部材８Ｍが加熱され、残留水が蒸発して乾燥される。
【００６３】
このように本発明の実施例１６の手乾燥装置によれば、緩衝部材８Ｍを乾燥する赤外線ヒーター２１を乾燥室６Ｄの下部に設けたので、水受皿５および緩衝部材８Ｍに残留する残留水が赤外線ヒーター２１により加熱され、残留水が蒸発することとなり、残留水の排水にかかるメンテナンス費を削減することができる。
【００６４】
（実施例１７）
図１８に示すように、赤外線ヒーター２１Ａを乾燥室６Ｅ内の上部に設け、ぬれ手と水受皿５に設けられる緩衝部材８Ｎを乾燥させる構成とする。
【００６５】
上記構成において、ぬれ手を乾燥室６Ｅ内に挿入すると、赤外線ヒーター２１Ａにより手が温められ冷風感が緩和されると共に、水受皿５および緩衝部材８Ｎの残留水が乾燥される。
【００６６】
このように本発明の実施例１７の手乾燥装置によれば、赤外線ヒーター２１Ａを乾燥室６Ｅ内の上方部に設け、ぬれ手と緩衝部材８Ｎを乾燥させる構成としたので、運転初期状態がＰＴＣヒータータイプの発熱体３が低温であるため、吹出し温度が低くなり乾燥性能が低いと共に、冬期においては使用者が冷風感を感じるということがなくなり、赤外線ヒーター２１Ａの輻射熱により残留水を乾燥すると共に手を温め冷風感を緩和し、ぬれ手を乾燥させることができる。
【００６７】
（実施例１８）
図１９に示すように、赤外線ヒーター２１Ｂを乾燥室６Ｆの下方側部に設け、吹出ノズル７Ａからの温風と赤外線ヒーター２１Ｂの輻射熱で手を乾燥させる構成とする。
【００６８】
上記構成において、ぬれ手を乾燥室６Ｆ内に挿入し、乾燥するときには吹出ノズル７Ａから吹き出される温風と赤外線ヒーター２１Ｂからの輻射熱を受けて手が乾燥される。
【００６９】
このように本発明の実施例１８の手乾燥装置によれば、赤外線ヒーター２１Ｂを乾燥室６Ｆの下方側部に設け、吹出ノズル７Ａからの温風と赤外線ヒーター２１Ｂの輻射熱で手を乾燥させるので、ぬれ手の両面を同時に乾燥させることができ、ぬれ手のスピード乾燥を行うことができる。
【００７０】
【発明の効果】
以上の実施例から明らかなように、本発明によれば上方側に設けられる送風装置および発熱体からなる温風発生手段と、この温風発生手段の下方側に設けられる略Ｃ字形状で底面に水受皿を設けた乾燥室と、この乾燥室に前記温風発生手段で発生した温風を前記水受皿に向けて吹き出す吹出ノズルとを備え、前記乾燥室の底面に設けられる水受皿に、前記吹出ノズルから吹き出された温風が衝突するスポンジ状物質により形成された緩衝部材を配設したので、吹出ノズルからの送風時に乾燥室で発生する騒音を低減することができると共に、水受皿外に水滴が飛散しないようにすることができる効果のある手乾燥装置を提供できる。
【００７１】
また、緩衝部材にデインプル形状を設けたので、乾燥室で発生する高周波騒音の低減および水滴が飛散するのを防止することができる。
【００７２】
また、緩衝部材の表面に多数の突部を形成したので、中低周波数領域の騒音を低減することができると共に、水滴の飛散を防止することができる。
【００７３】
また、緩衝部材を、吹出ノズルから吹き出される温風が衝突する中心部分を頂点にして山形状に形成したので、乾燥室で発生する騒音を低コストで低減することができる。
【００７４】
また、乾燥室に設けられる水受皿の側面に水滴が飛散しないように設けられるスポンジ材からなる水滴飛散防止部を設けたので、水受皿外に水滴が飛散して汚染されるのが防止できる。
【００７５】
また、乾燥室の開口部分を囲む形状で乾燥室内に手を挿入できる手の挿入孔を設けたスポンジ材で形成した囲いを設けたので、乾燥室で発生する騒音を消音することができ、また、水受皿外に微細水滴が飛散するのを防止でき、また乾燥室内へのごみの侵入が防止でき、循環気流吸込口に設けたフィルターの目詰りが防止され乾燥性能が低下するのを防止でき、また、温風温度を上げ乾燥性能を良化するとともに、冷風感を感知することができ、また、室内の照明による影響で検出範囲が狭くならないようにすることができる。
【００７６】
また、乾燥室の開口部分を囲む形状で乾燥室内に手を挿入できるようにスリットを設け、スポンジ材で形成した囲いを設けたので、乾燥室から外部にもれる騒音を低減することができる。
【００７７】
また、緩衝部材を耐水性のフェルトで形成したので、コストの低減および騒音の低減を図ることができる。
【００７８】
また、緩衝部材を軽石で形成したので、吸音性能を低下させることなく使用することができる。
【００７９】
また、緩衝部材をスポンジ材で形成しゴムを介して水受皿に接着する構成としたので、低周波領域の騒音を低減することができる。
【００８０】
また、緩衝部材に抗菌材を添加したので、抗菌による残留水の異臭の発生を防止できる。
【００８１】
また、緩衝部材に吸着剤を含ませる構成としたので、残留水の排水作業の緩和と水受皿の洗浄作業を削減することができる。
【００８２】
また、緩衝部材に吸着剤と変色剤を含ませる構成としたので、残留水のメンテナンス時期を知ることができる。
【００８３】
また、緩衝部材に乾燥剤を含ませる構成としたので、残留水の排水にかかるメンテナンス費が削減できる。
【００８４】
また、緩衝部材を照射する殺菌灯を設けたので、殺菌により異臭の発生が防止できる。
【００８５】
また、緩衝部材を乾燥する赤外線ヒーターを乾燥室の下部に設けたので、残留水の排水にかかるメンテナンス費が削減できる。
【００８６】
また、赤外線ヒーターを乾燥室の上方部に設け、ぬれ手と緩衝部材を乾燥させる構成としたので、輻射熱により手を温め、冷風感を緩和すると共に乾燥性能の良化を図ることができる。
【００８７】
また、赤外線ヒーターを乾燥室の下方側部に設け、吹出ノズルからの温風と赤外線ヒーターの輻射熱で手を乾燥させる構成としたので、ぬれ手の上下両面から乾燥することによりスピード乾燥を図ることができる。
【図面の簡単な説明】
【図１】本発明の実施例１の手乾燥装置の断面図
【図２】本発明の実施例２の手乾燥装置の斜視図
【図３】本発明の実施例３の手乾燥装置の斜視図
【図４】本発明の実施例４の手乾燥装置の断面図
【図５】本発明の実施例５の手乾燥装置の斜視図
【図６】本発明の実施例６の手乾燥装置の斜視図
【図７】同手乾燥装置の断面図
【図８】本発明の実施例７の手乾燥装置の斜視図
【図９】本発明の実施例８の手乾燥装置の断面図
【図１０】本発明の実施例９の手乾燥装置の断面図
【図１１】本発明の実施例１０の手乾燥装置の断面図
【図１２】本発明の実施例１１の手乾燥装置の斜視図
【図１３】本発明の実施例１２の手乾燥装置の斜視図
【図１４】本発明の実施例１３の手乾燥装置の斜視図
【図１５】本発明の実施例１４の手乾燥装置の斜視図
【図１６】本発明の実施例１５の手乾燥装置の断面図
【図１７】本発明の実施例１６の手乾燥装置の断面図
【図１８】本発明の実施例１７の手乾燥装置の断面図
【図１９】本発明の実施例１８の手乾燥装置の断面図
【符号の説明】
２      送風装置
３      発熱体
４    温風発生手段
５    水受皿
５Ａ  水受皿
６    乾燥室
６Ａ  乾燥室
６Ｂ  乾燥室
６Ｃ  乾燥室
６Ｄ  乾燥室
６Ｅ  乾燥室
６Ｆ  乾燥室
７        吹出ノズル
７Ａ  吹出ノズル
８    緩衝部材
８Ａ    緩衝部材
８Ｂ    緩衝部材
８Ｃ    緩衝部材
８Ｄ    緩衝部材
８Ｅ    緩衝部材
８Ｆ    緩衝部材
８Ｇ  緩衝部材
８Ｊ  緩衝部材
８Ｋ  緩衝部材
８Ｌ  緩衝部材
８Ｍ  緩衝部材
８Ｎ  緩衝部材
９    デインプル
１０  突部
１１  中心部分
１２  水流飛散防止部
１３  開口部分
１４  手の挿入口
１５  囲い
１５Ａ    囲い
１８  スリット
１９  ゴム
２０  殺菌灯
２１  赤外線ヒーター
２１Ａ  赤外線ヒーター
２１Ｂ  赤外線ヒーター
【図１】
2005027693.tif 000003
【図２】
2005027693.tif 000004
【図３】
2005027693.tif 000005
【図４】
2005027693.tif 000006
【図５】
2005027693.tif 000007
【図６】
2005027693.tif 000008
【図７】
2005027693.tif 000009
【図８】
2005027693.tif 000010
【図９】
2005027693.tif 000011
【図１０】
2005027693.tif 000012
【図１１】
2005027693.tif 000013
【図１２】
2005027693.tif 000014
【図１３】
2005027693.tif 000015
【図１４】
2005027693.tif 000016
【図１５】
2005027693.tif 000017
【図１６】
2005027693.tif 000018
【図１７】
2005027693.tif 000019
【図１８】
2005027693.tif 000020
【図１９】
2005027693.tif 000021